(57)【要約】      （修正有）【課題】装置前方に大きなスペースを確保することなく、消火栓扉を開いて行うノズルの取り出しを行い易くする【解決手段】消火栓装置は、開閉自在な消火栓扉を設けた筐体の内部に、先端にノズル４８を装着したホース４４と、ホース４４に加圧消火用水を供給して放水させるバルブ類を収納している。バルブ類には、前方から見て消火栓弁開閉レバー６４を上下方向に操作可能に配置した消火栓弁が設けられ、案内板７２の案内スリット内に消火栓弁開閉レバー６４が上下に操作可能に位置するように、筐体側面に案内板７２を片持ち状態で着脱自在に固定してバルブ類を隠す。【選択図】図２
2011087750.tif 000002
【特許請求の範囲】
【請求項１】
開閉自在な消火栓扉を設けた筐体の内部に、先端にノズルを装着したホースと、前記ホースに加圧消火用水を供給して放水させるバルブ類を収納した消火栓装置に於いて、
前記バルブ類を隠す板部材と、
前記板部材を前記バルブ類の正面に開放自在又は着脱自在に配置する取付構造と、
を備えたことを特徴とする消火栓装置。
【請求項２】
請求項１記載の消火栓装置に於いて、前記板部材の表面に、消火栓装置の操作案内を表示したことを特徴とする消火栓装置。
【請求項３】
請求項２記載の消火栓装置に於いて、
前記バルブ類には開閉レバーの操作により開閉される消火栓弁が設けられ、
前記板部材の表面に、前記操作案内として、前記消火栓弁のレバー開閉方向及び又は消火栓装置全体の操作案内を表示したことを特徴とする消火栓装置。
【請求項４】
請求項１記載の消火栓装置に於いて、
前記バルブ類には、前方から見て開閉レバーを上下方向に操作可能に配置した消火栓弁が設けられ、
前記板部材は、前記開閉操作レバーを案内する上部に開口した案内スリットを形成し、
前記取付構造は、前記板部材の案内スリット内に前記開閉レバーが上下に操作可能に位置するように、筐体側面に前記板部材の下側を回動自在に軸支すると共に上側を着脱自在に固定したことを特徴とする消火栓装置。
【請求項５】
請求項１記載の消火栓装置に於いて、
前記バルブ類には、前方から見て開閉レバーを上下方向に操作可能に配置した消火栓弁が設けられ、
取付構造は、前記板部材を前記開閉レバーの上下操作域に隣接した筐体側面との間に、筐体側面の片持ち状態で着脱自在に固定したことを特徴とする消火栓装置。
【請求項６】
請求項５記載の消火栓装置に於いて、前記取付構造は、
前記筐体側面に固定されて前記開閉レバー側に延在した上下に一対の支持棒と、
前記板部材の上端に屈曲形成されて前記上側の支持棒に引っ掛ける係止部と、
前記下側の支持棒に固着され、ネジの締結を受けて前記板部材の下側を着脱自在に固定するナット部材と、
を備えたことを特徴とする消火栓装置。
【請求項７】
請求項６記載の消火栓装置に於いて、前記取付構造は、
前記筐体側面に固定されて前記開閉レバー側に延在した横Ｕ字形のフレーム部材と、
前記板部材の上端に屈曲形成されて前記フレーム部材の上フレーム部に引っ掛ける係止部と、
前記フレーム部材の下フレーム部に固着され、ネジの締結を受けて前記板部材の下側を着脱自在に固定するナット部材と、
を備えたことを特徴とする消火栓装置。
【請求項８】
請求項１記載の消火栓装置に於いて、
前記バルブ類には、前方から見て開閉レバーを上下方向に操作可能に配置した消火栓弁が設けられ、
取付構造は、前記板部材を、前記開閉レバーの上下操作域に隣接した筐体側面との間に位置するように、筐体開口部に取り付けられた化粧枠の内側面に片持ち状態で着脱自在に固定したことを特徴とする消火栓装置。
【発明の詳細な説明】
【技術分野】
【０００１】
本発明は、放水ノズル付きホースを引き出して放水する消火栓装置に関する。
【背景技術】
【０００２】
従来、高速道路や自動車専用道路などのトンネルに設置される消火栓装置は、開放自在な消火栓扉を備えた筐体内に、ノズル付きホースとバルブ類を収納し、また、開閉自在な消火器扉を備えた消火器収納部に例えば２本の消火器を収納し、更に、通報装置扉が設けられ、ここに赤色表示灯、発信機、及び応答ランプを設けている。
【０００３】
このような消火栓装置は火災を伴う車両事故の発生時に、消火栓扉を開いてノズル付きのホースを引き出し、消火栓弁開閉レバーを操作することで消火ポンプ設備を起動して放水を行うことができる。
【先行技術文献】
【特許文献】
【０００４】
【特許文献１】特開２００５−３１８９７２号公報
【発明の概要】
【発明が解決しようとする課題】
【０００５】
ところで、このような消火栓装置の内部構造としては、設置時やメンテナンス時にしか操作しないバルブ類などの機器と、一般の人が火災時に操作するノズル付きホースや消火栓弁開閉レバーなどの機器があるが、消火栓扉を開放した場合に、筐体に収納された全ての機器が扉開口から見えることとなり、火災という緊急時の操作が行いづらい恐れがある。
【０００６】
本発明は、消火栓扉を開放して消火時に操作する機器とその使い方を分かり易くするようにした消火栓装置を提供することを目的とする。
【課題を解決するための手段】
【０００７】
本発明は、開閉自在な消火栓扉を設けた筐体の内部に、先端にノズルを装着したホースと、ホースに加圧消火用水を供給して放水させるバルブ類を収納した消火栓装置に於いて、
バルブ類を隠す板部材と、
板部材をバルブ類の正面に開放自在又は着脱自在に配置する取付構造と、
を備えたことを特徴とする。
【０００８】
ここで、板部材の表面には、消火栓装置の操作案内を表示する。即ち、バルブ類には開閉レバーの操作により開閉される消火栓弁が設けられており、板部材の表面に、操作案内として、消火栓弁のレバー開閉方向及び又は消火栓装置全体の操作案内を表示する。
【０００９】
バルブ類には、前方から見て開閉レバーを上下方向に操作可能に配置した消火栓弁が設けられ、
板部材は、開閉操作レバーを案内する上部に開口した案内スリットを形成し、
取付構造は、板部材の案内スリット内に開閉レバーが上下に操作可能に位置するように、筐体側面に板部材の下側を回動自在に軸支すると共に上側を着脱自在に固定する。
【００１０】
バルブ類には、前方から見て開閉レバーを上下方向に操作可能に配置した消火栓弁が設けられ、取付構造は、板部材を開閉レバーの上下操作域に隣接した筐体側面との間に、筐体側面の片持ち状態で着脱自在に固定する。
【００１１】
この場合の取付構造は、
筐体側面に固定されて開閉レバー側に延在した上下に一対の支持棒と、
板部材の上端に屈曲形成されて上側の支持棒に引っ掛ける係止部と、
下側の支持棒に固着され、ネジの締結を受けて板部材の下側を着脱自在に固定するナット部材と、
を備える。
【００１２】
また取付構造の他の形態としては、
筐体側面に固定されて開閉レバー側に延在した横Ｕ字形のフレーム部材と、
板部材の上端に屈曲形成されてフレーム部材の上フレーム部に引っ掛ける係止部と、
フレーム部材の下フレーム部に固着され、ネジの締結を受けて板部材の下側を着脱自在に固定するナット部材と、
を備える。
【００１３】
また、バルブ類には、前方から見て開閉レバーを上下方向に操作可能に配置した消火栓弁が設けられ、
取付構造は、板部材を、開閉レバーの上下操作域に隣接した筐体側面との間に位置するように、筐体開口部に取り付けられた化粧枠の内側面に片持ち状態で着脱自在に固定する。
【発明の効果】
【００１４】
本発明によれば、一般の人が消火時に操作することのない機器であるバルブ類の前に板部材を配置して隠すようにしたことで、消火栓扉を開いた消火時に、操作に必要なホース先端に装着したノズルや消火栓弁開閉レバーが目立つことで操作対象として明確に認識され、消火作業をより迅速に行うことができる。
【００１５】
またバルブ類を隠している板部材に、消火栓開閉レバーの操作方向や消火栓装置全体の操作案内などを表示しておくことで、バルブ類といった不要な機器を隠すと同時に、消火時の操作を簡単且つ確実に行うことができる。
【００１６】
また、板部材によりバルブ類を隠すことで、消火栓弁に設けた起動信号を外部に送出するリミットスイッチに対する水避けとして機能して保護することができる。
【００１７】
一方、バルブ類を隠している板部材は開放自在又は着脱自在であることから、施行時やメンテナンス時には板部材を開くか又は外すことで、通常は隠されている機器であるバルブ類を露出させ、バルブ類の点検調整、例えば自動調圧弁の調整圧の設定などが効率良く容易にできる。
【００１８】
また寒冷地に設置する消火栓装置にあっては、バルブ類を配置した配管に凍結防止材料を巻き付ける作業を行うが、操作案内を表示した着脱自在な板部材を開放又は外してバルブ類を配置した配管部分を露出させることで、効率良く作業を行うことができる。
【図面の簡単な説明】
【００１９】
【図１】本発明による消火栓装置の実施形態を正面から示した説明図
【図２】図１について扉側を外して本発明による案内板の実施形態を含む本体内部構造を示した正面図
【図３】図１について内部構造を平面で示した説明図
【図４】図１についてバルブ収納空間を側面で示した説明図
【図５】図２の案内板の取付構造を示した組立分解図
【図６】扉側を外して本発明による案内板の他の実施形態を含む本体内部構造を示した正面図
【図７】図６の案内板の取付構造の実施形態を示した説明図
【図８】図６の案内板の取付構造の他の実施形態を示した説明図
【図９】化粧枠に固定する案内板の取付構造の他の実施形態を示した説明図
【図１０】図９の案内板の取付構造を取り出して組立分解状態で示した説明図
【発明を実施するための形態】
【００２０】
図１は本発明の消火栓装置を示した正面図である。図１において、消火栓装置１０は、消火栓側の筐体１２−１と消火器側の筐体１２−２に分割した構造であり、前面に分割した化粧枠１４−１、１４−２を各々装着しており、筐体１２−１、１２−２に対し必要な機器及び部材を組付けた後に連結固定部１５で固定し、更に前面開口部に化粧枠１４−１、１４−２を取り付けた状態とし、この状態でトンネル現場に搬入して架台１１上に設置している。
【００２１】
化粧枠１４−１には扉開口部１６が設けられ、化粧枠１４−２には扉開口部１７が設けられている。筐体１２−１側の扉開口部１６は上下に２分割され、下側扉開口部に消火栓扉１８を配置し、上側扉開口部に保守扉２２を配置しており、その内部がホース収納空間及びバルブ類収納空間となっている。
【００２２】
消火栓扉１８は、扉開口部１６に対し下側の軸となるヒンジ２１を中心に下向きに開閉自在に設けられており、マグネットと受け板を用いた下扉ロック機構７０により閉止位置に閉じている。消火栓扉１８は、ハンドル２０を手前に引いて下扉ロック機構７０の磁気吸着によるロックを外すことで前方に開閉することができる。
【００２３】
消火栓扉１８の上には上向きに開閉する保守扉２２が設けられており、マグネットと受け板を用いた上扉ロック機構６８により閉止位置に閉じられており、点検時に消火栓扉１８を開いた後に上扉ロック機構６８を外すことで開くことができる。また、筐体１２−１の上部両側には装置を吊り下げるための吊り輪２５が取り付けられている。
【００２４】
筐体１２−２側の扉開口部１７の右側には通報装置扉２４が設けられ、ここに赤色表示灯２６、発信機２８及び応答ランプ３０を設けており、また通報装置扉２４の内側には図２に示すように電話ジャック３１を設けている。
【００２５】
赤色表示灯２６は常時点灯し、消火栓装置１０の設置場所が遠方から分かるようにしている。火災時には、発信機２８を押して押し釦スイッチをオンすると、発信信号が監視室の火災受信機に送信されて火災警報が出され、これに伴い応答信号が火災受信機から送られて、内蔵した応答ランプ３０を点灯するようにしている。
【００２６】
扉開口部１７の左側には消火器扉３２が設けられ、消火器扉３２に対応した筐体１２−２の内部を消火器収納空間とし、例えば２本の消火器３７を収納している。消火器扉３２にはハンドル３４が設けられ、ハンドル３４を手前に引くとラッチが外れ、消火器扉３２は左側をヒンジとして前方に開くことができる。また、消火器扉３４の下側には覗き窓３５が設けられ、外部から消火器の収納状態の有無を確認できるようにしている。
【００２７】
図２は図１について、筐体１２−２側の消火器扉３２を開き、筐体１２−１側については消火栓扉１８を外し、保守扉２２は上向きに開いてステー２７で支持した状態で内部構造を示した正面図である。なお、保守扉２２は、消火栓装置の保守以外には通常閉じられており、消火作業時も閉められたままで消火栓扉１８のみ開放される。
【００２８】
図２において、筐体１２−１の左側にはホース収納空間３６が形成され、右側にバルブ類収納空間３８を形成している。ホース収納空間３６には、ホースバケット構造が設けられる。ホースバケット構造にはフレームパイプを屈曲して水平方向で上下に配置したフレーム部分を持つバケットフレーム４０が配置され、内部にホース収納空間を形成している。
【００２９】
バケットフレーム４０の中央から右側にオフセットした位置、即ち扉開口部１６の左右方向における略中央となる位置に、Ｕ字形パイプフレームを固定することで縦方向に２本のホースガイド４２が位置してホース取出口４５を仕切り形成している。更に、ホース取出口４５の下側には、前方に張出し形成された張出ホースガイド４７を設けている。
【００３０】
ホース取出口４５を仕切り形成するホースガイド４２及び張出ホースガイド４７は、ホース４４を引き出す際に内巻きしているホース４４が崩れたり、扉開口部１６に擦れてホース４４が損傷したり折れたりすることを防ぎ、更に開放している消火栓扉１８の右端又は左端にホース４４が引っかかって引き出せなくなることを防ぐ。
【００３１】
特に、張出ホースガイド４７はホース４４を左方向に引き出す際のホースの急激な折れ曲がりを緩和して滑らかな引き出しを可能とする。
【００３２】
バケットフレーム４０及び筐体内壁で囲まれたホース収納空間３６にはホース４４が内巻きして収納されている。ここで、右側のバルブ類収納空間３８の下部にはホース接続口４６が配置されており、ホース接続口４６にホース４４の１次側を接続した後、ホース４４をホース収納空間３６に巻き込むことになるが、この場合のホース４４の巻き込みは、扉開口部１６から見て右巻きとなるようにホース４４を巻き込んでいる。
【００３３】
即ち、ホース接続口４６に接続したホース４４は、まず筐体１２−１の下側内壁に沿うようにホース収納部３６方向に向かい、ホース収納空間３６の下側から巻き込まれ、筐体左側面内面を伝って筐体上方に向かい、その後に、右回りに収納空間内に巻き込まれ、最後にノズル４８を装着したホース先端をバケットフレーム４０の中央から右側にオフセットして扉開口部１６の中央付近に取り付けられたホースガイド４２で形成されたホース取出口４５から取り出し、上側のバケットフレーム４０の右端に固定しているノズルホルダー５０にノズル４８を左横向きに着脱自在に保持している。
【００３４】
ノズル４８は放水部４８ａとハンドル４８ｂから構成されており、ノズルホルダー５０に対し放水部４８ａの横向きに保持した状態で、ハンドル４８ｂは放水部４８ａの下側に位置して消火栓扉１８の開放による下側扉開口部の中央方向に向くように保持されている。
【００３５】
筐体１２−１に設けたホース収納空間３６の右側に配置したバルブ類収納空間３８には、ポンプ設備からの配管が接続される消火栓接続口からホース接続口４６に至る配管系統に、給水弁５１、消火栓弁、自動調圧弁、自動排水弁及びメンテナンス装置６０を設けている。
【００３６】
このうち消火栓弁に設けた消火栓弁開閉レバー６４に対応して本発明によるバルブ類を隠す板部材としての案内板７２が設けられており、案内板７２の裏側に消火栓弁、自動調圧弁、自動排水弁が配置されている。
【００３７】
ここで、上側のバケットフレーム４０の右端に取り付けたノズルホルダー５０に装着されたノズル４８は、バルブ類収納空間の前面側に配置された消火栓弁開閉レバー６４付近に配置され、ノズル４８を取り出して消火栓弁を開くという相互に関連した操作を行い易くしている。
【００３８】
筐体１２−２側については、ヒンジ３３により消火器扉３２を左側に開いた内部の消火器収納空間３８には２本の消火器３７が収納されている。消火器３７は消火器扉３２を閉じた状態で覗き窓３５を通して２本の消火器３７が視認できるように収納されている。
【００３９】
図３は、図１について内部構造を示した平面図である。図３において、筐体１２−１と筐体１２−２は連結部１５においてボルトにより固定されている。筐体１２−１のホース収納空間３６には平面から見て横Ｌ字形にバケットフレーム４０が配置され、筐体内壁との間に形成したホース収納空間３６にホース４４を右巻きにより内巻き状態で収納している。
【００４０】
上下２段に配置したバケットフレーム４０に図２のように一対のホースガイド４２を固定して仕切り形成したホース取出口４５の下側には、張出ホースガイド４７が設けられており、張出ホースガイド４７はその内側にホース４４の外径に略相当する幅の張出スペースを確保している。勿論、張出ホースガイド４７の張出し量は、消火栓扉１８を閉鎖したときに当らない位置となるように前方に張り出しており、ホース１本が少なくとも入る幅を有するとよりよい。
【００４１】
更に、バケットフレーム４０における前面右端にはノズルホルダー５０が取り付けられ、ノズルを横向きに着脱自在に保持できるようにしている。筐体１２−２側の消火器収納空間３９には、２本の消火器３７が収納されている。
【００４２】
図４は図２のバルブ類収納空間の構造を側面から示している。図４において、筐体１２−１の前面の閉鎖状態にある消火栓扉１８は、ハンドル操作によりラッチを解除することで、ヒンジ２１を中心に図示の前方位置に開くことができる。
【００４３】
バルブ類収納空間３８には、給水弁５１、消火栓弁５４、自動調圧弁５６、自動排水弁５８及びメンテナンス装置６０が縦方向に連設配置されている。
【００４４】
消火栓弁５４には直接に消火栓弁開閉レバー６４が装着されている。即ち消火栓弁開閉レバー６４が図示の上向き位置の閉位置のとき、消火栓弁５４は閉状態であり、このとき配管内に消火用水が存在せず、圧がないことから自動排水弁５８は開状態にある。
【００４５】
消火栓弁開閉レバー６４を下向きとなる開位置に操作すると、消火栓弁５４が開放位置に作動され、配管内に圧が上昇して自動排水弁５８は閉鎖位置に作動される。これによって、給水接続口から加圧された消火用水を自動調圧弁５６を通して所定圧に調圧した後、ホース４４側に供給するようにしている。
【００４６】
同時に消火栓弁開閉レバー６４の背後に設置しているリミットスイッチ（図示せず）がオンし、これによってポンプ設備に信号が送られ、ポンプ設備が起動される。放水を停止する際には、消火栓弁開閉レバー６４を元の上向き位置に戻すと消火栓弁５４が閉じ、同時にリミットスイッチがオフとなってポンプ設備の運転停止が行われる。
【００４７】
消火栓弁５４、自動調圧弁５６の前には案内板７２が配置され、案内板７２は下側を取付軸８５により筐体側の取付軸受に回動自在に装着し、案内板７２の上側は筐体側にボルトで固定され、背後のバルブ類を隠している。
【００４８】
消火栓装置１０の施行時やメンテナンス時には、案内板７２の上部のボルト固定を外し、取付軸８５により案内板７２ａで示す開放位置に回動することで、消火栓弁５４および自動調圧弁５６を前方に露出させ、例えば自動調圧弁５６の調整圧の調整操作などを容易にできるようにしている。
【００４９】
図５は図２の案内板７２の取付構造を取り出して示した組立分解図である。図５において、案内板７２は金属プレートあるいはプラスチックプレートで構成されており、ほぼ中央に上部に開口した案内スリット７５を形成し、図２に示したように、筐体１２−１に対する取付状態で案内スリット７５の中に消火栓開閉レバー６４を位置させて上下方向に移動できるようにしている。
【００５０】
案内板７２の案内スリット７５の左側の表示面７０ａには、アクリル銘板７４がネジ穴７８に対するビス７６のねじ込みで固定されている。アクリル銘板７４には３つに分かれて消火栓装置全体の操作案内７４ａ，７４ｂ，７４ｃが表示されている。例えば最初の操作案内表示７４ａは「ノズルを外す」の文字とノズルを手に持った絵の表示であり、次の操作案内表示７４ｂは「レバーを引く」と消火栓弁開閉レバーの操作を示す絵の表示であり、最後の操作案内表示７４ｃは「水が出る」の文字表示とノズルから放水が開始されている絵の表示である。
【００５１】
案内板７２の案内スリット７５の右側の表示面７０ｂには銘板シール８０が貼り付けられる。銘板シール８０には案内スリット７５に位置する消火栓開閉レバーの操作位置と操作方向を示す表示が行われている。
【００５２】
案内板７２を筐体１２−１の側面に取付けるため、案内板７２の右側の上部にはボルト８８を通すための通し穴８６が形成され、案内板７２の下側側面には筐体１２−１側に向けて取付軸８５を設けている。この取付板７２に対応して、筐体１２−１の側面の上部にはネジ穴８２ａを備えた取付部材８２が固定され、下部には取付軸受８４が固定されている。
【００５３】
このため筐体１２−１に対する取付けは、案内板７２の下側の取付軸８５を取付軸受８４に嵌め入れた状態で案内板７２の上側を筐体１２−１の取付部材８２に押し当てて通し穴８６からボルト８８を通してネジ穴８２ａにねじ込むことで、案内板７２の右側を固定した片持ち状態で案内板７２をバルブ類の前面に配置する。
【００５４】
このような図５に示す案内板７２を、図２に示したようにバルブ類収納空間３８に設けているバルブ類の前面、具体的には図４に示したように消火栓弁５４と自動調圧弁５６の前面に配置することで、図２に示すように消火栓扉５８を開放したとき、背後にある消火栓弁５４や自動調圧弁５６を覆い隠し、これによって一般の人が消火する際に操作を必要とするノズル４８や消火栓開閉レバー６４を目立たせ、更に案内板７２に表示されている操作案内表示７４ａ〜７４ｃや銘板シール８０の消火栓弁開閉レバー６４の操作方向などを見ることで、消火作業をより迅速に行うことができる。
【００５５】
また通常状態において、案内板７２は図４に示したように消火栓弁５４の前に配置されていることから、前方から水がかかったような場合、消火栓弁５４の消火栓弁開閉レバー６４の操作でオンオフするリミットスイッチに水がかかることを防止する水避けとしての機能も果たしている。
【００５６】
一方、消火栓装置１０の施工時やメンテナンス時にあっては、バルブ収納空間３８に設置しているバルブ類の調整作業などを行うが、この場合には、図５に示したボルト８８による筐体１２−１に対する案内板７２の上部の取付けを解除し、固定側となる取付軸受８４に対し嵌め入れている取付軸８５を中心として案内板７２を前方に回動させることで、図４に示す案内板７２ａのように開いて消火栓弁５４や自動調圧弁５６を露出させ、例えば自動調圧弁５６に対する調整圧の調整作業を、案内板７２を設けていても邪魔されることなく容易に行うことができる。
【００５７】
また寒冷地に設置する消火栓装置にあっては、バルブ類収納空間３８に設置している給水弁５１からホース接続口４６に至る配管部分に凍結防止材として保温材を巻き付ける作業を行う。このような凍結防止材を巻き付ける作業の際にも、案内板７２の上部の取付けを解除して、図４の案内板７２ａに示すように前方に開放させることで背後の配管側を露出させることができ、案内板７２により邪魔されることなく、配管に対する凍結防止剤の巻付け作業を行うことができる。
【００５８】
また図５の案内板７２の取付構造にあっては、ボルト８８による上部の固定を解除した後に前方に回動して背後のバルブ類を露出させているが、更に必要があれば案内板７２そのものを取り外すことができる。即ち、消火栓弁開閉レバー６４を図４に示すように上部の閉鎖位置にしている状態で、案内板７２の上側の固定を解除して水平方向の案内板７２ａの位置に回動すると、図５に示した案内板７２の案内スリット７５から消火栓弁開閉レバー６４のレバー部分が離脱していることから、この状態で案内板７２を右側に移動して取付軸８５を取付軸受８４から抜くことで、案内板７２を外部に取り外すことができる。
【００５９】
図６は本発明による案内板の他の実施形態を含む本体内部構造を示した正面図である。図６において、消火栓装置１０の内部構造は図２の実施形態と同じであるが、筐体１２−１の右側のバルブ類収納空間３８の消火栓弁に設けている消火栓弁開閉レバー６４の部分に、背後のバルブ類を隠す板部材としての案内板９０を取り付けている。
【００６０】
案内板９０は図２の案内板７２と比較すると、消火栓弁開閉レバー６４を上下に移動させるための案内スリットがなく、消火栓弁開閉レバー６４の上下方向の操作領域と筐体１２−１の側面との間に配置される矩形形状を持っている。
【００６１】
図７は図６の案内板の取付構造を取り出して示した説明図であり、図７（Ａ）に組立分解図を、図７（Ｂ）に側面図を示している。図７（Ａ）において、本実施形態の案内板９０は、上部を後方から下方に向けて矩形に屈曲した係止部９０ａを設けると共に、下部に通し穴９０ｂを形成しており、前面に銘板シール８０を貼付固定し、銘板シール８０には図５の実施形態と同様、消火栓弁開閉レバーの操作位置と操作方向を示す表示が行われている。
【００６２】
案内板９０を取り付ける筐体１２−１側には、上下の２箇所に分けて、右側を固定し、左側を内側に延在した一対の支持棒９２ａ，９２ｂが取り付けられている。上側の支持棒９２ａには案内板９０の係止部９０ａが嵌め込まれ、支持棒９２ａに対し案内板９０を吊り下げるようにしている。
【００６３】
下側の支持棒９２ｂにはナット９４が溶接などにより固定されており、このナット９４のネジ穴に案内板９０の下側の通し穴９０ｂを介してビス９６をねじ込むことで、下側の支持棒９２ｂに対し案内板９０を固定するようにしている。
【００６４】
図７（Ｂ）は筐体１２−１側の支持棒９２ａ，９２ｂに対する案内板９０の取付状態の側面を示しており、案内板９０の上部の係止部９０ａが支持棒９２ａに掛けられて案内板９０を吊り下げ、この状態で案内板９０の下側を支持棒９２ｂに固着したナット９４に対し、ビス９６のねじ込みで固定している。
【００６５】
この図７に示す本実施形態の案内板９０とその取付構造によれば、案内板９０を配置することで、その背後のバルブ類を隠して消火栓扉を開いて消火する際のノズルや消火栓弁開閉レバーを目立たせて迅速な消火作業を可能とする。また案内板９０を配置したことで、その背後の消火栓弁に設けているリミットスイッチに対し水がかかるのを防ぐ。
【００６６】
一方、消火栓装置の施工時やメンテナンス時にあっては、ナット９４に対するビス９６を緩めることで、支持棒９２ａから係止部９０ａを外して案内板９０を取り外すことができ、これによって背後の消火栓弁５４や自動調圧弁５６を露出させて、必要な調整作業を容易に行うことができる。
【００６７】
図８は図６の案内板取付構造の他の実施形態を示した説明図である。図８における案内板９０は図７の実施形態と同じであり、上部に係止部９０ａを形成すると共に下部に通し穴９０ｂを形成し、更に銘板シール８０を貼り付けている。
【００６８】
これに対し筐体１２−１側の固定部材として、本実施形態にあっては横Ｕ字型のフレーム部材９８を使用している。フレーム部材９８は、上フレーム部９８ａ、下フレーム部９８ｂ及び縦フレーム部９８ｃを連接した形状であり、下フレーム部９８ｂにナット９４を溶接などにより固着している。
【００６９】
このような上フレーム９８ａ、下フレーム９８ｂ、縦フレーム９８ｃとなるように矩形に屈曲したフレーム部材９８を使用することで、図７の上下に分けて配置した支持棒９２ａ，９２ｂに比べ、筐体１２−１側の取付構造の強度を十分に確保することができ、案内板９０を筐体１２−１側に安定して取付保持することができる。
【００７０】
図９は化粧枠に固定する案内板の取付構造の他の実施形態を示した説明図であり、図９（Ａ）に化粧枠の正面を示し、図９（Ｂ）にそのＸ−Ｘ断面を示している。
【００７１】
図９において、化粧枠１４−１は、図１に示したように消火栓扉１８及び保守扉２２を配置する扉開口部１６を形成し、右枠部１０１の内側面に案内板１００を取り付けており、案内板１００の表面には銘板シール１０２が貼り付けられている。
【００７２】
図１０は図９の案内板の取付構造を取り出して組立分解状態で示した説明図である。案内板１００は取付部１００ａに対し案内部１００ｂを直角に屈曲して形成し、取付部１００ａの先端上下にはダルマ穴１１２，１１４が形成され、案内部１００ｂには銘板シール１０２が貼られている。
【００７３】
案内板１００の固定先となる化粧枠１４−１の右枠部１０１の内側面には張出し部１０８，１１０が形成され、張出し部１０８，１１０にボルト１０４，１１０を頭部を飛び出した状態でねじ込んでいる。
【００７４】
右枠部１０１に対する案内板１００の固定は、張出し部１０８，１１０のボルトを緩めてボルト頭部を飛び出させた状態で、案内板１００の取付部１００ａに形成しているダルマ穴１１２，１１４をボルト頭部に通して下側にスライドし、この状態でボルト１０４，１０６を締めて固定する。
【００７５】
このように化粧枠１４−１に案内板１００を片持ち状態で支持することにより、扉開口部１６の右側縁は筐体１２−１の右側縁よりも中央よりに位置することから、例えば図７のように第１筐体１２−１の側面に片持ち支持した場合に比べ、案内板１００を片持ちする距離を短くでき、車両の通行に伴う振動が加わった場合の案内板１００のビビリを低減して安定的に支持できる。
【００７６】
なお図７及び図８の実施形態にあっては、案内板９０に消火栓弁開閉レバーの操作位置と操作方向を表示しており、消火栓装置全体の案内操作表示は行っていないが、この消火栓全体の操作案内表示は、例えば開放した消火栓扉１８の内側に設けるなど、他の見易い場所に設ければよい。
【００７７】
また案内板の筐体側に対する取付構造は、着脱自在あるいは回動自在な構造であれば適宜の取付構造とすることができる。
【００７８】
また本発明はその目的と利点を損なうことのない適宜の変形を含み、更に上記の実施形態に示した数値による限定は受けない。
【符号の説明】
【００７９】
１０：消火栓装置
１２−１，１２−２：筐体
１４−１，１４−２：化粧枠
１６，１７：扉開口部
５４：消火栓弁
５６：自動調圧弁
６４：消火栓弁開閉レバー
７２，９０，１００：案内板
７４：アクリル銘板
７５：案内スリット
８０，１０２：銘板シール
８２：取付部材
８４：取付軸受
８５：取付軸
８６，９０ｂ：通し穴
９０ａ：係止部
９２ａ，９２ｂ：支持棒
９８：フレーム部材
９８ａ：上フレーム部
９８ｂ：下フレーム部
１０８，１１０：張出し部
１１２，１１４：ダルマ穴
【図１】
2011087750.tif 000003
【図２】
2011087750.tif 000004
【図３】
2011087750.tif 000005
【図４】
2011087750.tif 000006
【図５】
2011087750.tif 000007
【図６】
2011087750.tif 000008
【図７】
2011087750.tif 000009
【図８】
2011087750.tif 000010
【図９】
2011087750.tif 000011
【図１０】
2011087750.tif 000012